(57)【特許請求の範囲】
【請求項１】
被験体から採取された生体試料中のペルオキシレドキシンの測定値を取得する工程と、
取得したペルオキシレドキシンの測定値に基づいて、急性心筋梗塞に関する情報を取得する工程と、
を含む、急性心筋梗塞の診断を補助する方法。
【請求項２】
前記生体試料が、前記被験体が心疾患の症状を発症してから２時間以内に採取された生体試料である請求項１に記載の方法。
【請求項３】
前記生体試料が血液試料である請求項１又は２に記載の方法。
【請求項４】
前記情報取得工程において、前記ペルオキシレドキシンの測定値と所定の閾値とを比較し、前記測定値が前記閾値以上の場合に被験体が急性心筋梗塞であることを示す情報を取得する、請求項１〜３のいずれか一項に記載の方法。
【請求項５】
前記ペルオキシレドキシンの測定値が、ペルオキシレドキシン遺伝子の発現量又はペルオキシレドキシンタンパク質の測定値である、請求項１〜４のいずれか一項に記載の方法。
【請求項６】
ペルオキシレドキシンタンパク質のアミノ酸配列を有するポリペプチドからなる、急性心筋梗塞の判定用バイオマーカー。
【請求項７】
請求項１〜５のいずれかに記載の方法に用いられる、抗ペルオキシレドキシン抗体を含む、急性心筋梗塞の検査試薬。
【請求項８】
第１抗ペルオキシレドキシン抗体、固相、第２抗ペルオキシレドキシン抗体及び標識物質を含む、請求項１〜５のいずれか一項に記載の方法に用いられる、急性心筋梗塞の検査キット。
【請求項９】
プロセッサ及び前記プロセッサの制御下にあるメモリを含むコンピュータを備え、
前記メモリには、
（１）被験体の生体試料中のペルオキシレドキシンの測定値を取得する工程、
（２）前記測定値に基づいて急性心筋梗塞に関する情報を出力する工程、
を前記コンピュータに実行させるためのコンピュータプログラムが記録されている、急性心筋梗塞の診断補助装置。
【請求項１０】
前記工程（２）では、前記測定値を所定の閾値と比較する工程と、前記測定値が前記閾値以上の場合に当該被験体が急性心筋梗塞であると決定する工程と、当該被験体が急性心筋梗塞であることを示す情報を出力する工程と、が実行される請求項９に記載の急性心筋梗塞の診断補助装置。
【請求項１１】
プロセッサ及び前記プロセッサの制御下にあるメモリを含むコンピュータに、
（１）被験体の生体試料中のペルオキシレドキシンの測定値を取得する工程、
（２）前記測定値に基づいて、急性心筋梗塞に関する情報を出力する工程、
を実行させるコンピュータプログラム。
【請求項１２】
前記工程（２）では、前記測定値を所定の閾値と比較する工程と、前記測定値が前記閾値以上の場合に当該被験体が急性心筋梗塞であると決定する工程と、当該被験体が急性心筋梗塞であることを示す情報を出力する工程と、を実行させる請求項１１に記載のコンピュータプログラム。
【発明の詳細な説明】
【技術分野】
【０００１】
本発明は、急性心筋梗塞の診断を補助する方法、急性心筋梗塞の診断補助装置、及び急性心筋梗塞の診断を補助するためのコンピュータプログラムに関する。
【背景技術】
【０００２】
急性心筋梗塞マーカーとしてトロポニンが知られている。非特許文献１では、トロポニンは心筋細胞死の後２、３時間で上昇を始め、２４時間後にピークに達し、１〜２週間は公知の状態であることが記載されている（非特許文献１）。
【先行技術文献】
【非特許文献】
【０００３】
【非特許文献１】Patil, et al. (2011) Clin. Cardiol. 34, 12, 723-728.
【発明の概要】
【発明が解決しようとする課題】
【０００４】
急性心筋梗塞は、その発症から１２時間以内、より好ましくは６時間以内に再灌流療法を施すことで、心筋の壊死範囲を広げず死亡率を低下させることができる。従って、病院に搬送されてから可能な限り早く急性心筋梗塞の発症の有無を検出することが望まれる。しかしながら、病院搬送時には患者が意識を失っていることも多く、胸痛等の心疾患の症状の有無について患者に問診することが困難なケースが多い。また、急性心筋梗塞を発症する前に心疾患の症状を感じないケースもある。さらに、心電図検査においても、急性心筋梗塞発症時にはＳＴ上昇及び異常Ｑ波の出現等が観察されるが、これらは必ずしも急性心筋梗塞に特異的な現象とはいえない。
【０００５】
このような問題点を踏まえ、本発明は、急性心筋梗塞に特異性の高い新規マーカー、及び新規マーカーの測定値に基づく、急性心筋梗塞の診断を補助する方法を提供することを課題とする。
【課題を解決するための手段】
【０００６】
本発明者は、鋭意研究を重ねたところ、急性心筋梗塞患者の生体試料中のペルオキシレドキシンの測定値が、健常者及び他の心疾患患者の値と比較して有意に高いことを見出し、本発明を完成した。
本発明は、当該知見に基づいて完成されたものであり、以下の態様を含む。
項１．被検体から採取された生体試料中のペルオキシレドキシンの測定値を取得する工程と、
取得したペルオキシレドキシンの測定値に基づいて、急性心筋梗塞に関する情報を取得する工程と、
を含む、急性心筋梗塞の診断を補助する方法。
項２．前記生体試料が、前記被験体が心疾患の症状を発症してから３０分〜２時間以内に採取された 生体試料である項１に記載の方法。
項３．前記生体試料が血液試料である項１又は２に記載の方法。
項４．前記情報取得工程において、前記ペルオキシレドキシンの測定値と所定の閾値とを比較し、前記測定値が前記閾値以上の場合に被検体が急性心筋梗塞であることを示す情報を取得する、項１〜３のいずれか１項に記載の方法。
項５．前記ペルオキシレドキシンの測定値が、ペルオキシレドキシン遺伝子の発現量又はペルオキシレドキシンタンパク質の測定値である、項１〜４のいずれか１項に記載の方法。
項６．ペルオキシレドキシンタンパク質のアミノ酸配列を有するポリペプチドからなる、急性心筋梗塞の判定用バイオマーカー。
項７．項１〜５のいずれかに記載の方法に用いられる、抗ペルオキシレドキシン抗体を含む、急性心筋梗塞の検査試薬。
項８．第１抗ペルオキシレドキシン抗体、固相、第２抗ペルオキシレドキシン抗体および標識物質を含む、項１〜５のいずれか一項に記載の方法に用いられる、急性心筋梗塞の検査キット。
項９．プロセッサ及び前記プロセッサの制御下にあるメモリを含むコンピュータを備え、
前記メモリには、
（１）被験体の生体試料中のペルオキシレドキシンの測定値を取得する工程、
（２）前記測定値に基づいて急性心筋梗塞に関する情報を出力する工程、
を前記コンピュータに実行させるためのコンピュータプログラムが記録されている、急性心筋梗塞の診断補助装置。
項１０．前記工程（２）では、前記測定値を所定の閾値と比較する工程と、前記測定値が前記閾値以上の場合に当該被験体が急性心筋梗塞であると決定する工程と、当該被験体が急性心筋梗塞であることを示す情報を出力する工程と、が実行される項９に記載の急性心筋梗塞の診断補助装置。
項１１．プロセッサ及び前記プロセッサの制御下にあるメモリを含むコンピュータに、
（１）被験体の生体試料中のペルオキシレドキシンの測定値を取得する工程、
（２）前記測定値に基づいて、急性心筋梗塞に関する情報を出力する工程、
を実行させるコンピュータプログラム。
項１２．前記工程（２）では、前記測定値を所定の閾値と比較する工程と、前記測定値が前記閾値以上の場合に当該被験体が急性心筋梗塞であると決定する工程と、当該被験体が急性心筋梗塞であることを示す情報を出力する工程と、を実行させる項１１に記載のコンピュータプログラム。
【発明の効果】
【０００７】
本発明により、急性心筋梗塞の診断を補助する方法、急性心筋梗塞の診断補助装置、及び急性心筋梗塞の診断を補助するためのコンピュータプログラムを提供することができる。
【図面の簡単な説明】
【０００８】
【図１】検査キットの一例を示した概略図である。
【図２】診断補助装置の一例を示す概略図である。
【図３】診断補助装置のハードウェア構成を示すブロック図である。
【図４】診断補助装置を用いた心不全患者の検出方法のフローチャートである。
【図５】各群の血清中ペルオキシレドキシン６濃度の散布図を示す。
【図６】Ａ：急性心筋梗塞患者群のペルオキシレドキシン６の測定値と拡張型心筋症患者群のペルオキシレドキシン６の測定値のＲＯＣ曲線を示す。Ｂ：急性心筋梗塞患者群のペルオキシレドキシン６の測定値と虚血性心不全患者群のペルオキシレドキシン６の測定値のＲＯＣ曲線を示す。Ｃ：急性心筋梗塞患者群のペルオキシレドキシン６の測定値と心房細動患者群のペルオキシレドキシン６の測定値のＲＯＣ曲線を示す。Ｄ：急性心筋梗塞患者群のペルオキシレドキシン６の測定値と健常者群のペルオキシレドキシン６の測定値のＲＯＣ曲線を示す。
【発明を実施するための形態】
【０００９】
１．用語の説明
はじめに、本明細書、請求の範囲、要約で使用されている用語について説明する。
本発明において、「急性心筋梗塞」とは、心臓栄養血管（冠動脈及びその分枝等）が塞栓又は血栓等により閉塞することをいう。閉塞に伴う心筋細胞の壊死はおこっていても、おこっていなくてもよい。本発明の急性心筋梗塞においては、心臓栄養血管の閉塞前に心疾患の症状が現れてもよいが、現れていなくてもよい。
【００１０】
本発明において、「心疾患の症状」には、動悸、息切れ、易疲労感、めまい、吐き気、胸痛、意識消失等が含まれる。また、「心疾患の症状」には、心電図異常等も含まれる。「心疾患の症状」として好ましくは、めまい、吐き気、胸痛、意識消失等である。 
【００１１】
本発明において、「個体」は、特に制限されないが、個体にはヒト及びヒト以外の哺乳動物が含まれる。ヒト以外の哺乳動物としては、例えばウシ、ウマ、ヒツジ、ヤギ、ブタ、イヌ、ネコ、ウサギ、サル等が挙げられる。好ましくは、ヒトである。また、個体の年齢、性別は問わない。
【００１２】
また、「被験体」は、急性心筋梗塞及びその他の心疾患の既往を有している個体であっても、急性心筋梗塞及びその他の心疾患の既往を有していない個体であってもよい。また、被験体は、動悸、胸の痛み又は不快感、ふらつき、全身倦怠感等の自覚症状がある個体であってもよく、また無症状の個体であってもよい。さらに、被験体には、医療面接、心電図、心機図検査等の生理学的検査等の公知の診断基準に従って急性心筋梗塞が疑われた試験体も含まれる。
本発明において、「生体試料」には、生体由来の細胞、組織、尿、血液試料等が含まれる。生体試料として好ましくは、「血液試料」である。
【００１３】
「血液試料」とは、被験体から採取した血液（全血）、当該血液から調製した血清、又は血漿をいう。より好ましくは、血清又は血漿であり、さらに好ましくは血清である。血漿を採取する際に使用する抗凝固剤の種類は特に制限されない。測定に用いる被験体の血液試料と所定の閾値を決定する血液試料は同種であっても異種であっても良いが、同種であることが好ましい。また、血液試料として血漿を用いる場合、所定の閾値を決定するための血漿は、被験体の血漿と同じ抗凝固剤を用いて採血された血液から調製されることが好ましい。さらに、血液試料は、新鮮なものであっても、保存されていたものであってもよい。
【００１４】
上記生体試料は、好ましくは被験体が上記心疾患の症状を発症後２時間以内に採取され、さらに好ましくは発症後１時間以内に採取される。生体試料として血清または血漿を用いる場合は、好ましくは発症後２時間以内に採取された血液から調製され、さらに好ましくは発症後１時間以内に採取された血液から調製される。
生体試料は、採取後直ちに測定に供してもよいし、採取後冷凍保存してから測定に供してもよい。
また、血液試料を保存する場合には、冷凍保存することが可能であるが、被験体から採血後直ちに血漿又は血清を分離し、分離後の血漿又は血清を冷凍保存することもできる。
【００１５】
本発明のマーカーである「ペルオキシレドキシン（Ｐｅｒｏｘｉｒｅｄｏｘｉｎ）」は、好適な電子供与体の存在下で、過酸化水素を水に還元するペルオキシダーゼ活性を有する抗酸化酵素である。
【００１６】
本明細書では、特にペルオキシレドキシンのタンパク質について言及する場合は「ペルオキシレドキシンタンパク質」ということがあり、特にペルオキシレドキシンをコードする遺伝子について言及する場合は「ペルオキシレドキシン遺伝子」ということがある。
【００１７】
「ペルオキシレドキシンの測定値」には、生体試料内での「ペルオキシレドキシンタンパク質の測定値」及び「ペルオキシレドキシン遺伝子の発現量」が含まれる。
【００１８】
「ペルオキシレドキシンタンパク質の測定値」とは、ペルオキシレドキシンタンパク質の量又は濃度を反映した値をいう。当該測定値を「量」で標記する場合には、モルであっても質量であってもよいが、質量で標記することが好ましい。また、値を「濃度」で表記する場合には、モル濃度であっても生体試料の一定容量あたりの質量の割合（質量／容量）であってもよいが、好ましくは質量／容量である。量又は濃度を反映する値としては、上記の他に、蛍光や発光などのシグナルの強度であってもよい。
【００１９】
「ペルオキシレドキシン遺伝子の発現量」とは、ペルオキシレドキシンｍＲＮＡの発現量を反映した値をいう。当該発現量は、一定量の生体試料中に存在するペルオキシレドキシンｍＲＮＡのコピー数（絶対量）で表されてもよく、または、β２−ミクログロブリンｍＲＮＡ、ＧＡＰＤＨ  ｍＲＮＡ及びβ−アクチン  ｍＲＮＡ等のハウスキーピング遺伝子の発現量に対する相対発現量を反映した値であってもよい。また、蛍光や発光などのシグナルの強度で表されてもよい。
【００２０】
「所定の閾値」とは、ペルオキシレドキシンの測定値の閾値をいう。当該閾値は、急性心筋梗塞を発症していない個体の生体試料中のペルオキシレドキシンの測定値及び／又は急性心筋梗塞を発症した個体の生体試料中のペルオキシレドキシンの測定値に基づいて決定することができる。
【００２１】
たとえば、急性心筋梗塞を発症した複数の個体の生体試料を用いて測定したペルオキシレドキシンの測定値と、急性心筋梗塞を発症していない複数の個体の生体試料を用いて測定したペルオキシレドキシンの測定値とを取得する。これらの複数の値に基づいて陽性と陰性とを最も精度よく分類できる値を「閾値」とすることができる。ここで、「最も精度よく分類できる値」は、検査の目的によって感度、特異度、陽性的中率、陰性的中率などの指標に基づいて適宜設定することができる。
【００２２】
例えば一態様として、急性心筋梗塞を発症した複数の個体から得られたそれぞれの生体試料中のペルオキシレドキシンの測定値の中で、最も低い測定値を閾値としてもよい。例えば、スクリーニング検査のように、擬陽性をできるだけ低減させたい場合は、当該閾値を好適に用いることができる。
【００２３】
また、別の態様として、急性心筋梗塞を発症していない個体の生体試料中のペルオキシレドキシンの測定値に基づいて閾値を決定する場合には、急性心筋梗塞を発症していない複数の個体の生体試料中のペルオキシレドキシンの測定値の中から、最も高い測定値を閾値と決定することができる。例えば、擬陰性をできるだけ低減させたい場合は、当該閾値を好適に用いることができる。
【００２４】
また別の態様として、閾値は、急性心筋梗塞を発症していない個体の生体試料中のペルオキシレドキシンの測定値そのもの、又は急性心筋梗塞を発症していない個体の複数のペルオキシレドキシンの測定値の平均値、中央値または最頻値とすることもできる。
また、急性心筋梗塞を発症していない個体の複数の生体試料中のペルオキシレドキシンの測定値に基づいて決定することもできる。
【００２５】
この場合には、当該複数の生体試料中の［ペルオキシレドキシンの測定値の平均値］を、好ましくは［「当該平均値」から「当該複数の生体試料中のペルオキシレドキシンの測定値の標準偏差の値を１倍して得られた値」を減じた値］を、又はより好ましくは、［「当該平均値」から「当該標準偏差の値を２倍して得られた値」を減じた値］を閾値とすることができる。
【００２６】
またさらに、閾値として、同一被験体であって当該被験体が急性心筋梗塞を来す前に取得された過去のペルオキシレドキシンの測定値（一つの値でもよいし、複数の値の平均値、中央値、最頻値などであってもよい）を使用することもできる。
【００２７】
急性心筋梗塞を発症していない個体の生体試料中のペルオキシレドキシンの測定値と急性心筋梗塞を発症した個体の生体試料中のペルオキシレドキシンの測定値に基づいて閾値を決定する場合には、急性心筋梗塞を発症していない１個体の生体試料中のペルオキシレドキシンの測定値と急性心筋梗塞を発症した１個体の生体試料中のペルオキシレドキシンの測定値の平均値を基準とすることができる。また、「急性心筋梗塞を発症していない個体の複数の生体試料中のペルオキシレドキシンの測定値の平均値」と「急性心筋梗塞を発症した個体の複数の生体試料中のペルオキシレドキシンの測定値の平均値」をさらに平均した値を閾値とすることもできる。他の態様として、急性心筋梗塞を発症していない個体と急性心筋梗塞を発症した個体を一群とし、この一群の生体試料中のペルオキシレドキシンの測定値の中央値を閾値とすることもできる。
【００２８】
さらなる他の態様として、上記閾値を決定する方法において、急性心筋梗塞を発症していない個体の生体試料中のペルオキシレドキシンの測定値に代えて、健常個体の生体試料中のペルオキシレドキシンの測定値を使用してもよい。
これらの閾値は、被験体の生体試料のペルオキシレドキシンの測定値を取得する際に決定してもよいが、あらかじめ決定しておいてもよい。
【００２９】
「健常個体」とは、特に制限されない。好ましくは「個体」の項に記載されたヒト又はヒト以外の哺乳動物であって、生化学的検査、血液検査、尿検査、血清検査、生理学的検査等において異常データを示さない個体をいう。健常個体の年齢、性別は特に制限されない。
【００３０】
「急性心筋梗塞を発症していない個体」とは、特に制限されない。好ましくは「個体」の項に記載されたヒト又はヒト以外の哺乳動物であって、公知の診断基準に従って、急性心筋梗塞を発症していると診断され得ない個体である。
【００３１】
「複数の生体試料」とは、２以上、好ましくは５以上、より好ましくは１０以上の生体試料である。これらは、異なる個体から採取された生体試料であってもよいし、採取時が異なる同一個体の複数の生体試料であってもよい。
「複数の値」とは、２以上、好ましくは５以上、より好ましくは１０以上のペルオキシレドキシンの測定値である。
「複数の個体」とは、２以上、好ましくは５以上、より好ましくは１０以上の個体である。
【００３２】
閾値を決定するためにペルオキシレドキシンの測定値を取得する個体と、被験体の種、年齢、性別等を必ずしも同じくする必要はないが、好ましくは同種である。また、前記個体は被験体と同年代及び／又は同一性別であることが好ましい。
【００３３】
本発明において、測定対象となるペルオキシレドキシンは、哺乳類細胞に存在しているペルオキシレドキシンファミリーである限り、制限されない。好ましくは、ペルオキシレドキシン１群（ＰＲＤＸ  １バリアント１〜４）、ペルオキシレドキシン５（ＰＲＤＸ５）、及びペルオキシレドキシン６（ＰＲＤＸ６）であり、より好ましくは、ペルオキシレドキシン６である。
【００３４】
「抗ペルオキシレドキシン抗体」は、上記ペルオキシレドキシンタンパク質と特異的に結合する限り制限はなく、ペルオキシレドキシンタンパク質又はその一部を抗原としてヒト以外の動物に免疫して得られたポリクローナル抗体、モノクローナル抗体、及びそれらの断片（例えば、Ｆａｂ、Ｆ（ａｂ）２等）のいずれも用いることができる。また、免疫グロブリンのクラス及びサブクラスは特に制限されない。また、キメラ抗体であってもよい。さらに、ｓｃＦｖ等であってもよい。
【００３５】
抗ペルオキシレドキシン抗体を作製するために用いられる、抗原となるペルオキシレドキシンタンパク質として好ましくは、ヒト（例えばＧｅｎＢａｎｋ：ＮＰ＿００４８９６．１［配列番号１］、マウス（例えばＧｅｎＢａｎｋ：ＡＡＰ２１８２９．１）、ラット（例えばＮＣＢＩ  Ｒｅｆｅｒｅｎｃｅ  Ｓｅｑｕｅｎｃｅ：ＮＰ＿４４６０２８．１）等由来のペルオキシレドキシンタンパク質であり、より好ましくは配列番号１で示されるヒトペルオキシレドキシンタンパク質である。抗原として用いられるペルオキシレドキシンタンパク質は、哺乳類細胞から公知の方法にしたがって抽出されたものでもよく、また組換え遺伝子工学技術によって得られたリコンビナントタンパク質であってもよい。ペルオキシレドキシンタンパク質の一部を抗原とする場合には、ペルオキシレドキシンタンパク質を酵素等で消化して得られるフラグメントを使用してもよく、またペルオキシレドキシンタンパク質の一部のアミノ酸配列と同じ配列を有するペプチドを抗原としてもよい。当該ペプチドは、公知の方法によって合成することができる。
【００３６】
さらに抗ペルオキシレドキシン抗体として、例えばヒトペルオキシレドキシンタンパク質と反応するペルオキシレドキシン６抗体（ＧＴＸ１１５２６２；ＧｅｎｅＴｅｘ）等の市販品を使用することもできる。
【００３７】
本発明において「ペルオキシレドキシンｍＲＮＡ」とは、ヒト（例えばＮＣＢＩ  Ｒｅｆｅｒｅｎｃｅ  Ｓｅｑｕｅｎｃｅ：ＮＭ＿００４９０５．２［配列番号２］）、マウス（例えばＮＣＢＩ  Ｒｅｆｅｒｅｎｃｅ  Ｓｅｑｕｅｎｃｅ：ＮＭ＿００７４５３．４、ＮＭ＿００１３０３４０８．１）、ラット（例えばＮＣＢＩ  Ｒｅｆｅｒｅｎｃｅ  Ｓｅｑｕｅｎｃｅ：ＮＭ＿０５３５７６．２）等を挙げることができる。より好ましくは、配列番号２で示されるヒトペルオキシレドキシンｍＲＮＡである。
【００３８】
ここで、本発明においては、生体試料から抽出したｔｏｔａｌ  ＲＮＡ及びｍＲＮＡのいずれを用いてもよい。ｔｏｔａｌ  ＲＮＡ及びｍＲＮＡ抽出に用いる生体試料は、個体から採取されてすぐにＲＮＡ抽出に供されるか、個体から採取されてすぐに凍結（好ましくは、−８０℃以下の雰囲気下で急冷）して、ＲＮＡ抽出まで−８０℃以下で保存されることが好ましい。
生体試料からのｔｏｔａｌ  ＲＮＡ及びｍＲＮＡの抽出方法は特に制限されず、公知の抽出方法を使用することができる。
【００３９】
２．急性心筋梗塞の判定方法
本実施態様においては、生体試料中のペルオキシレドキシンの測定値を取得し、当該ペルオキシレドキシンの測定値を使用して急性心筋梗塞であるか否かを判定する。
【００４０】
（ｉ）ペルオキシレドキシンの測定値を取得する工程
本工程においては、はじめに被験体から採取された生体試料中のペルオキシレドキシンの測定値を取得する。
生体試料中のペルオキシレドキシンの測定値の取得方法は、生体試料に含まれるペルオキシレドキシンの測定値が取得できるかぎり、特に限定されない。
【００４１】
（ｉ−１）ペルオキシレドキシンタンパク質の測定値の取得
ペルオキシレドキシンの測定値がペルオキシレドキシンタンパク質の測定値である場合、本工程では、当該測定値を取得するために、ペルオキシレドキシンタンパク質に特異的に結合可能な抗体、すなわち抗ペルオキシレドキシン抗体を用いることが可能である。また、後述する「４．抗ペルオキシレドキシン抗体を含む急性心筋梗塞の検査試薬」若しくは「５．急性心筋梗塞の検査キット」を使用してもよい。
生体試料と、抗ペルオキシレドキシン抗体とを混合する順序は特に限定されず、これらを実質的に同時に混合してもよいし、逐次混合してもよい。
【００４２】
本実施形態では、先に抗ペルオキシレドキシン抗体と生体試料中のペルオキシレドキシンタンパク質との複合体を形成させてから当該複合体を固相上に固定化するか、又はあらかじめ抗ペルオキシレドキシン抗体を固相上に固定化し、固定化された抗ペルオキシレドキシン抗体と生体試料中のペルオキシレドキシンタンパク質が複合体を形成させることができる。より好ましくは、先に前記複合体を形成させてから当該複合体を固相上に固定化する態様である。そして、固相上に固定化された当該複合体又は固相上で形成された複合体を、当該技術において公知の方法で検出することにより、生体試料に含まれるペルオキシレドキシンタンパク質の量又は濃度を測定することができる。
【００４３】
先に抗ペルオキシレドキシン抗体と生体試料中のペルオキシレドキシンタンパク質との複合体を形成させてから当該複合体を固相上に固定化する場合、ビオチン等で修飾した抗ペルオキシレドキシン抗体を、生体試料中のペルオキシレドキシンタンパク質と接触させて複合体を形成させる。別途固相にアビジン類をあらかじめ結合させておくことにより、ビオチンとアビジン類との結合を介して、当該複合体を固相に固定化することができる。
【００４４】
また、あらかじめ抗ペルオキシレドキシン抗体を固相に固定する場合、抗ペルオキシレドキシン抗体の固相への固定の態様は、特に限定されない。例えば、抗ペルオキシレドキシン抗体と固相とを直接結合させてもよいし、抗ペルオキシレドキシン抗体と固相との間を別の物質を介して間接的に結合させてもよい。直接の結合としては、例えば、物理的吸着などが挙げられる。間接的な結合としては、例えば、ビオチンと、アビジン又はストレプトアビジン(以下、「アビジン類」ともいう)との組み合わせを介した結合が挙げられる。この場合、抗ペルオキシレドキシン抗体をあらかじめビオチンで修飾し、固相にアビジン類をあらかじめ結合させておくことにより、ビオチンとアビジン類との結合を介して、抗ペルオキシレドキシン抗体と固相とを間接的に結合させることができる。本実施態様においては、抗ペルオキシレドキシン抗体と固相との結合は、ビオチンとアビジン類を介した間接的な結合であることが好ましい。
【００４５】
固相の素材は特に限定されず、例えば、有機高分子化合物、無機化合物、生体高分子などから選択できる。有機高分子化合物としては、ラテックス、ポリスチレン、ポリプロピレンなどが挙げられる。無機化合物としては、磁性体(酸化鉄、酸化クロム及びフェライトなど)、シリカ、アルミナ、ガラスなどが挙げられる。生体高分子としては、不溶性アガロース、不溶性デキストラン、ゼラチン、セルロースなどが挙げられる。これらのうちの２種以上を組み合わせて用いてもよい。固相の形状は特に限定されず、例えば、粒子、膜、マイクロプレート、マイクロチューブ、試験管などが挙げられる。それらの中でも粒子が好ましく、磁性粒子が特に好ましい。
【００４６】
本工程においては、複合体の形成後、好ましくは複合体形成後、標識物質の検出の前に、複合体を形成していない未反応の遊離成分を除去するＢ／Ｆ分離を行ってもよい。未反応の遊離成分とは、複合体を構成しない成分をいう。例えば、ペルオキシレドキシンタンパク質と結合しなかった抗ペルオキシレドキシン抗体などが挙げられる。Ｂ／Ｆ分離の手段は特に限定されないが、固相が粒子であれば、遠心分離により、複合体を捕捉した固相だけを回収することによりＢ／Ｆ分離ができる。固相がマイクロプレートやマイクロチューブなどの容器であれば、未反応の遊離成分を含む液を除去することによりＢ／Ｆ分離ができる。また、固相が磁性粒子の場合は、磁石で磁性粒子を磁気的に拘束した状態でノズルによって未反応の遊離成分を含む液を吸引除去することによりＢ／Ｆ分離ができる。当該方法は、自動化の観点で好ましい。未反応の遊離成分を除去した後、複合体を捕捉した固相をＰＢＳなどの適切な水性媒体で洗浄してもよい。
【００４７】
本工程において、前記複合体の検出は、標識物質で標識された抗ペルオキシレドキシン抗体を使用して行うか、未標識の抗ペルオキシレドキシン抗体と当該未標識の抗ペルオキシレドキシン抗体と結合することができる標識物質で標識された抗イムノグロブリン抗体等を使用して行うことができるが、標識された抗ペルオキシレドキシン抗体を使用することが好ましい。また、標識された抗ペルオキシレドキシン抗体のペルオキシレドキシンタンパク質におけるエピトープと固相に結合する抗ペルオキシレドキシン抗体のペルオキシレドキシンタンパク質におけるエピトープとは異なることが好ましい。
【００４８】
標識抗ペルオキシレドキシン抗体又は標識抗イムノグロブリン抗体に用いられる標識物質は、検出可能なシグナルが生じるかぎり、特に限定されない。例えば、それ自体がシグナルを発生する物質（以下、「シグナル発生物質」ともいう）であってもよいし、他の物質の反応を触媒してシグナルを発生させる物質であってもよい。シグナル発生物質としては、例えば、蛍光物質、放射性同位元素などが挙げられる。他の物質の反応を触媒して検出可能なシグナルを発生させる物質としては、例えば、酵素が挙げられる。酵素としては、アルカリホスファターゼ、ペルオキシダーゼ、β−ガラクトシダーゼ、ルシフェラーゼなどが挙げられる。蛍光物質としては、フルオレセインイソチオシアネート（ＦＩＴＣ）、ローダミン、Ａｌｅｘａ  Ｆｌｕｏｒ（登録商標）などの蛍光色素、ＧＦＰなどの蛍光タンパク質などが挙げられる。放射性同位元素としては、１２５Ｉ、１４Ｃ、３２Ｐなどが挙げられる。それらの中でも、標識物質として、酵素が好ましく、アルカリホスファターゼが特に好ましい。
【００４９】
標識抗ペルオキシレドキシン抗体は、当該技術において公知の標識方法により、抗ペルオキシレドキシン抗体を上記の標識物質で標識して得られる。また、市販のラベリングキットなどを用いて標識してもよい。また、標識イムノグロブリン抗体は、抗ペルオキシレドキシン抗体の標識と同じ手法を用いてもよいし、市販のものを使用してもよい。
【００５０】
本工程では、複合体に含まれる標識抗ペルオキシレドキシン抗体の標識物質により生じるシグナルを検出することにより、生体試料に含まれるペルオキシレドキシンの測定値を取得できる。ここで、「シグナルを検出する」とは、シグナルの有無を定性的に検出すること、シグナル強度を定量すること、及び、シグナルの強度を半定量的に検出することを含む。半定量的な検出とは、シグナルの強度を、「シグナル発生せず」、「弱」、「中」、「強」などのように段階的に示すことをいう。本工程では、シグナルの強度を定量的又は半定量的に検出することが好ましい。
【００５１】
シグナルを検出する方法自体は、当該技術において公知である。本工程では、上記の標識物質に由来するシグナルの種類に応じた測定方法を適宜選択すればよい。例えば、標識物質が酵素である場合、該酵素に対する基質を反応させることによって発生する光、色などのシグナルを、ルミノメーター、分光光度計などの公知の装置を用いて測定することにより行うことができる。
【００５２】
酵素の基質は、該酵素の種類に応じて公知の基質から適宜選択できる。例えば、酵素としてアルカリホスファターゼを用いる場合、基質として、ＣＤＰ−Ｓｔａｒ（登録商標）（４−クロロ−３−（メトキシスピロ［１，  ２−ジオキセタン−３，  ２’−（５’−クロロ）トリクシロ［３．  ３．  １．  １３，  ７］デカン］−４−イル）フェニルリン酸２ナトリウム）、ＣＳＰＤ（登録商標）（３−（４−メトキシスピロ［１，  ２−ジオキセタン−３，  ２−（５’−クロロ）トリシクロ［３．  ３．  １．  １３，  ７］デカン］−４−イル）フェニルリン酸２ナトリウム）などの化学発光基質、５−ブロモ−４−クロロ−３−インドリルリン酸（ＢＣＩＰ）、５−ブロモ−６−クロロ−インドリルリン酸２ナトリウム、ｐ−ニトロフェニルリン酸などの発色基質が挙げられる。特に好ましくは、ＣＤＰ−Ｓｔａｒ（登録商標）である。当該基質の発光は、ルミノメーターで検出することが好ましい。
【００５３】
標識物質が放射性同位体である場合は、シグナルとしての放射線を、シンチレーションカウンターなどの公知の装置を用いて測定できる。また、標識物質が蛍光物質である場合は、シグナルとしての蛍光を、蛍光マイクロプレートリーダーなどの公知の装置を用いて測定できる。なお、励起波長及び蛍光波長は、用いた蛍光物質の種類に応じて適宜決定できる。
【００５４】
シグナルの検出結果は、ペルオキシレドキシンタンパク質の測定値として用いることができる。例えば、シグナルの強度を定量的に検出する場合は、シグナル強度の測定値自体又は該シグナル強度の測定値から算出される値を、ペルオキシレドキシンタンパク質の測定値として用いることができる。シグナル強度の測定値から算出される値としては、例えば、該シグナル強度の測定値から陰性対照試料のシグナル強度の測定値を差し引いた値、該シグナル強度の測定値を陽性対照試料のシグナル強度の測定値で除した値、及びそれらの組み合わせなどが挙げられる。陰性対照試料としては、健常者の生体試料等が挙げられる。陽性対照試料としては、ペルオキシレドキシンタンパク質を所定の量又は濃度で含む生体試料が挙げられる。
【００５５】
また、ペルオキシレドキシンタンパク質の測定値を取得するために、例えばＭｙＢｉｏＳｏｕｒｃｅ社（米国、カリフォルニア、サンディエゴ）のＥＬＩＳＡ  Ｋｉｔ  ｆｏｒ  Ｐｅｒｏｘｉｒｅｄｏｘｉｎ  ６（カタログ番号Ｃａｔ．  Ｎｏ．  ＭＢＳ２０２０８６５）等のヒトペルオキシレドキシンタンパク質を検出する市販のＥＬＩＳＡキットを使用することもできる。市販のキットを用いて生体試料中のペルオキシレドキシンの測定値を取得する場合には、キットに添付のプロトコールにしたがって取得することができる。
【００５６】
（ｉ−２）ペルオキシレドキシン遺伝子の発現量の取得
ペルオキシレドキシンの測定値がペルオキシレドキシン遺伝子の発現量である場合、本工程において当該発現量を取得するために、マイクロアレイ法、ＲＮＡ−ｓｅｑ解析法、定量的ＲＴ−ＰＣＲ法等公知の方法を使用することができる。マイクロアレイ法に使用するプローブは、自ら選択したプローブ又は公知のプローブを合成して使用してもよく、また市販のマイクロアレイチップを使用してもよい。マイクロアレイ法による定量は、公知の方法に従って行うことができ、ペルオキシレドキシンｍＲＮＡの発現量は、ハウスキーピング遺伝子の発現量に対する相対発現量として表してもよく、蛍光色素等のシグナル強度の測定値として表すことができる。
【００５７】
ＲＴ−ＰＣＲによる定量は、生体試料から抽出したｔｏｔａｌ  ＲＮＡ又はｍＲＮＡを鋳型として逆転写反応を行い、得られたｃＤＮＡを鋳型としてペルオキシレドキシンｍＲＮＡの特異的なプライマーを使用してリアルタイムＰＣＲ法等で解析することにより行うことができる。また、この場合、ペルオキシレドキシンｍＲＮＡの発現量は、ハウスキーピング遺伝子の発現量に対する相対発現量として表してもよく、蛍光色素等のシグナルの強度の測定値として表してもよい。
【００５８】
また、ＲＮＡ−ｓｅｑ解析法は、はじめに生体試料から抽出したｍＲＮＡを断片化し、これを鋳型として逆転写反応によるｃＤＮの合成とライブラリ作成を行う。各ライブラリに含まれる断片について次世代シーケンサーによる塩基配列を決定し、その情報をリファレンス遺伝子配列へマッピングし、ｍＲＮＡの発現量をＲＰＫＭ（Ｒｅａｄｓ  Ｐｅｒ  Ｋｉｌｌｏｂａｓｅｓ  ｐｅｒ  Ｍｉｌｌｉｏｎ）として表す。ＲＰＫＭは、ヒートマップ等のシグナルの強度として表してもよい。
【００５９】
上記シグナルの検出結果は、ペルオキシレドキシンｍＲＮＡの発現量として用いることができる。例えば、シグナルの強度を定量的に検出する場合は、シグナル強度の測定値自体又は該シグナル強度の測定値から算出される値を、ペルオキシレドキシンｍＲＮＡの発現量として用いることができる。
【００６０】
上記シグナル強度の測定値から算出される値としては、例えば、該シグナル強度の測定値から陰性対照試料のシグナル強度の測定値を差し引いた値、該シグナル強度の測定値を陽性対照試料のシグナル強度の測定値で除した値、及びそれらの組み合わせなどが挙げられる。陰性対照試料としては、健常者の生体試料等が挙げられる。陽性対照試料としては、ペルオキシレドキシンｍＲＮＡを所定の発現量で含む生体試料が挙げられる。
【００６１】
（ｉｉ）ペルオキシレドキシンの測定値に基づいて急性心筋梗塞に関する情報を取得する工程
次に、上記（ｉ）工程で取得したペルオキシレドキシンの測定値に基づいて急性心筋梗塞に関する情報を取得する。より具体的には、被験体の生体試料中のペルオキシレドキシンの測定値と所定の閾値とを、単純比較法や統計学的な検定等の公知の方法に従って比較する。続いて、被験体の生体試料中のペルオキシレドキシンの測定値が該閾値以上の場合に、該被験体が急性心筋梗塞である、あるいは急性心筋梗塞の疑いがあると決定することができる。また、被験体の生体試料中のペルオキシレドキシンの測定値が該閾値よりも低い場合に、該試験者は急性心筋梗塞ではないと決定することができる。急性心筋梗塞に関する情報とは、たとえば、本工程によって得られる、該被験体が急性心筋梗塞であるか否かの情報、急性心筋梗塞の疑いがあるか否かの情報などである。好ましくは、被験体の生体試料中のペルオキシレドキシンの測定値が該閾値以上の場合に、被験体が急性心筋梗塞であることを示す情報を取得する。取得された情報は、医師が当該被験体について急性心筋梗塞であると診断することを補助するために、あるいは、当該被験体について急性心筋梗塞ではないと診断することを補助するために提供される。
上記「１．用語の説明」に記載の「被験体」、「生体試料」、「ペルオキシレドキシンの測定値」、「所定の閾値」等に係る記載は、ここに援用することができる。
【００６２】
３．急性心筋梗塞判定用のバイオマーカー
本発明には、上記「２．急性心筋梗塞の判定方法」において、急性心筋梗塞であるか否かを判定するためのバイオマーカーを含む。バイオマーカーには、個体の生体試料中に存在するペルオキシレドキシンタンパク質、好ましくは配列番号１又は２に示されるアミノ酸配列の全部又は一部を含むペプチド、並びにペルオキシレドキシンｍＲＮＡ、好ましくは配列番号３又は４に示される塩基配列の全部又は一部を含む核酸が含まれる。本態様では、被験体の生体試料中の当該バイオマーカーを測定し、得られた測定値に基づいて該被験体が急性心筋梗塞であるか否かを決定することができる。
上記「１．用語の説明」に記載の「被験体」、「生体試料」、「ペルオキシレドキシンの測定値」、「所定の閾値」等に係る記載は、ここに援用することができる。
【００６３】
４．抗ペルオキシレドキシン抗体を含む急性心筋梗塞の検査試薬
本発明は、上記「２．急性心筋梗塞の判定方法」に使用される抗ペルオキシレドキシン抗体を含む急性心筋梗塞の検査試薬を提供する。
抗ペルオキシレドキシン抗体は、上記「１．用語の説明」に記載したものを使用することができる。
【００６４】
本実施態様の検査試薬には、少なくとも抗ペルオキシレドキシン抗体が１種以上含まれていればよい。抗ペルオキシレドキシン抗体がポリクローナル抗体である場合には、１種の抗原で免役して得られたポリクローナル抗体であってもよく、また２種以上の抗原で並行して同一個体に免役して得られたポリクローナル抗体であってもよい。また、２種以上の抗原をそれぞれ別の動物に接種して得られたそれぞれのポリクローナル抗体を混合してもよい。抗ペルオキシレドキシン抗体がモノクローナル抗体である場合には、１種のハイブリドーマから産生されるモノクローナル抗体であってもよいが、２種以上のハイブリドーマから産生されたモノクローナル抗体であって、それぞれのモノクローナル抗体が同一又は異なるエピトープを認識する複数のモノクローナル抗体が２種以上含まれていてもよい。また、ポリクローナル抗体とモノクローナル抗体を１種以上ずつ混合して含んでいてもよい。
【００６５】
当該検査試薬に含まれる抗ペルオキシレドキシン抗体の形態は、特に制限されず、抗ペルオキシレドキシン抗体を含む抗血清若しくは腹水等の乾燥状態又は液体状態であってもよい。また、抗ペルオキシレドキシン抗体の形態は、精製抗ペルオキシレドキシン抗体、抗ペルオキシレドキシン抗体を含む免疫グロブリン画分若しくは抗ペルオキシレドキシン抗体を含むＩｇＧ画分の乾燥状態又は水溶液であってもよい。
【００６６】
前記形態が、抗ペルオキシレドキシン抗体を含む抗血清若しくは腹水の乾燥状態又は液体状態である場合、さらにβ−メルカプトエタノール、ＤＴＴ等の安定化剤；アルブミン等の保護剤；ポリオキシエチレン（２０）ソルビタンモノラウレート、ポリオキシエチレン（１０）オクチルフェニルエーテル等の界面活性剤、アジ化ナトリウム等の防腐剤等の少なくとも一つを含んでいてもよい。また、抗ペルオキシレドキシン抗体の形態が、精製抗ペルオキシレドキシン抗体、抗ペルオキシレドキシン抗体を含む免疫グロブリン画分若しくは抗ペルオキシレドキシン抗体を含むＩｇＧ画分の乾燥状態又は水溶液である場合、さらに、リン酸緩衝液等のバッファー成分；β−メルカプトエタノール、ＤＴＴ等の安定化剤；アルブミン等の保護剤；塩化ナトリウム等の塩；ポリオキシエチレン（２０）ソルビタンモノラウレート、ポリオキシエチレン（１０）オクチルフェニルエーテル等の界面活性剤等、アジ化ナトリウム等の防腐剤の少なくとも一つを含んでいてもよい。
【００６７】
本発明においては、当該抗ペルオキシレドキシン抗体は未標識であっても、ビオチン又は上述の標識物質で標識されていてもよいが、ビオチン又は上述の標識物質で標識されていることが好ましい。標識物質は、上記「２．急性心筋梗塞の判定方法」の項に例示されたものを使用することができるが、好ましくはアルカリホスファターゼである。また、本発明においては、抗ペルオキシレドキシン抗体が、固相表面等に固定化された状態で提供されるものであってもよい。固相及び固定化については、上記「２．急性心筋梗塞の判定方法」の項で例示したとおりである。固相として好ましくは、磁気ビーズである。
【００６８】
５．急性心筋梗塞の検査キット
本発明は、上記「４．抗ペルオキシレドキシン抗体を含む急性心筋梗塞の検査試薬」を含む、急性心筋梗塞患者の検出方法又は心疾患の識別方法に使用される急性心筋梗塞の検査キットである。
【００６９】
より具体的には、ビオチンで標識された抗ペルオキシレドキシン抗体を含む検査試薬、及び標識物質で標識された抗ペルオキシレドキシン抗体を含む検査試薬を含む、急性心筋梗塞の検査キットである。標識物質として好ましくは、アルカリホスファターゼである。本実施形態は、固相、好ましくはアビジン類が結合した固相、より好ましくはアビジン類が結合した磁気ビーズをさらに含んでいてもよい。また、本実施形態は、基質を含んでいてもよい。基質として好ましくは、ＣＤＰ−Ｓｔａｒ（登録商標）である。
なお、標識物質、固相、基質の詳細は、「２．急性心筋梗塞の判定方法」に記載したとおりであり、当該記載はここに援用することができる。
【００７０】
本実施形態の検査キットは、ペルオキシレドキシンタンパク質の異なるエピトープに結合する２種類の抗ペルオキシレドキシン抗体（第１抗ペルオキシレドキシン抗体、第２抗ペルオキシレドキシン抗体）を含むことが好ましい。この場合、固相上に第１抗ペルオキシレドキシン抗体、ペルオキシレドキシン、第２抗ペルオキシレドキシン抗体および標識物質の複合体が形成される。このような検出方法は、一般的にサンドイッチＥＬＩＳＡと呼ばれる。この複合体において、第１抗ペルオキシレドキシン抗体は固相に固定されており、第２抗ペルオキシレドキシン抗体は標識物質と直接又は間接的に結合している。ここで、第２抗ペルオキシレドキシン抗体と標識物質とが間接的に結合している、とは第２抗ペルオキシレドキシン抗体に抗体などを介して標識物質が結合していることをいう。たとえば、第２抗ペルオキシレドキシン抗体を認識する標識抗体が第２抗ペルオキシレドキシン抗体に結合している状態が挙げられる。
【００７１】
第１抗ペルオキシレドキシン抗体が予め固相に結合している場合は、本実施形態の検査キットは、第１抗ペルオキシレドキシン抗体を固定化した固相と、第２抗ペルオキシレドキシン抗体と、標識物質とを含み得る。第２抗ペルオキシレドキシン抗体と、標識物質とは、別々の容器に収容されていてもよいし、同一の容器に収容されていてもよい。なお、標識物質が酵素であり、上記検査キットがさらに基質を含む場合、酵素と基質とは別々の容器に収容されている必要がある。ユーザに提供される際は、固相と、第２抗ペルオキシレドキシン抗体と、標識物質とのうち少なくとも２種類が同梱されていてもよいし、別々に梱包されていてもよい。
【００７２】
第１抗ペルオキシレドキシン抗体が予め固相に結合していない場合は、本実施形態の検査キットは、固相と、第１抗ペルオキシレドキシン抗体と、第２抗ペルオキシレドキシン抗体と、標識物質とを含み得る。第１抗ペルオキシレドキシン抗体と、第２抗ペルオキシレドキシン抗体と、標識物質とのうち少なくとも２種類が同一の容器に収容されていてもよいし、別々の容器に収容されていてもよい。なお、標識物質が酵素であり、上記検査キットがさらに基質を含む場合、酵素と基質とは別々の容器に収容されている必要がある。ユーザに提供される際は、固相と、第１抗ペルオキシレドキシン抗体と、第２抗ペルオキシレドキシン抗体と、標識物質とのうち少なくとも２種類が同梱されていてもよいし、別々に梱包されていてもよい。
【００７３】
上述の検査キットは、図１に示されるようなキットとしてユーザに提供され得る。急性心筋梗塞の検査キット５０は、外装箱５５と、固相として複数の磁性粒子を含む第１容器５１と、固相に結合可能な第１抗ペルオキシレドキシン抗体を含む第２容器５２と、酵素標識された第２抗ペルオキシレドキシン抗体含む第３容器５３と、検査キットの添付文書５４とを含む。添付文書５４には、検査キットの取り扱い方法、保管条件、使用期限などを記載しておくことができる。基質試薬を含む容器、洗浄用の水性媒体を含む容器などを外装箱５５に同梱してもよい。
【００７４】
本実施形態は、心房細動の検査試薬または検査キットの製造のための、抗ペルオキシレドキシン抗体の用途を含む。検査試薬、検査キットおよび抗ペルオキシレドキシン抗体については、上述の通りである。
【００７５】
６．急性心筋梗塞の診断補助装置及び急性心筋梗塞の診断補助プログラム
以下に、上記の本実施形態の方法を実施するための診断補助装置及び診断補助プログラムの一実施形態を、添付図面を参照して説明する。図２は、診断補助装置１の概略図である。診断補助装置１は、測定装置２と、測定装置２に接続されたコンピュータシステム３と、を含む。
【００７６】
測定装置２は、被験体から採取された生体試料中のペルオキシレドキシンの測定値を測定する。測定装置２は、特に限定されるものではなく、ペルオキシレドキシンの測定方法に応じて適宜選択できる。ペルオキシレドキシンの測定値が、ペルオキシレドキシンのタンパク質の測定値である場合、本実施形態の測定装置２は、ビオチン標識抗ペルオキシレドキシン抗体、アビジン類を固定した磁性粒子及び標識物質で標識された抗ペルオキシレドキシン抗体を用いるＥＬＩＳＡ法により生じるシグナルを検出可能な測定装置である。この種の測定装置は、用いた標識物質に基づくシグナルの検出が可能であれば特に限定されず、標識物質の種類に応じて適宜選択できる。
【００７７】
ビオチン標識抗ペルオキシレドキシン抗体、アビジン類を固定した磁性粒子を含む検査試薬、標識物質で標識された抗ペルオキシレドキシン抗体を含む試薬及び被験体から採取した生体試料を測定装置２にセットすると、測定装置２は、各試薬を用いて抗原抗体反応を実行し、ペルオキシレドキシンと特異的に結合した標識抗体に基づく光学的情報としてシグナルを取得し、得られた光学的情報をコンピュータシステム３に送信する。
【００７８】
ペルオキシレドキシンの測定値が、ペルオキシレドキシン遺伝子の発現量である場合、本実施形態の測定装置２は、マイクロアレイ解析、ＲＮＡ−ｓｅｑ解析、及び定量的ＲＴ−ＰＣＲ解析のいずれかにより生じるシグナルを検出可能な測定装置である。この種の測定装置は、用いた標識物質に基づくシグナルの検出が可能であれば特に限定されず、標識物質の種類に応じて適宜選択できる。
【００７９】
被験体から採取した生体試料から抽出されたｍＲＮＡ又は、当該ｍＲＮＡの逆転写産物（必要に応じて蛍光色素等で標識されていてもよい）を、マイクロアレイ解析、ＲＮＡ−ｓｅｑ解析、及び定量的ＲＴ−ＰＣＲ解析のいずれかの処理を実行する機能を備える測定装置２にセットすると、測定装置２は、所定の処理を実行し、ペルオキシレドキシンｍＲＮＡの発現量に基づく光学的情報としてシグナルを取得し、得られた光学的情報をコンピュータシステム３に送信する。
【００８０】
コンピュータシステム３は、コンピュータ４と、データなどを入力する入力部５と、被験体の情報や検出結果などを表示する表示部６と、を含む。コンピュータシステム３は、測定装置２から受信した光学的情報に基づき、被験体から採取された生体試料中のペルオキシレドキシンの測定値を取得し、当該ペルオキシレドキシンの測定値により、被験体が急性心筋梗塞であるか否かを検出する。なお、コンピュータシステム３は、図２に示すように、測定装置２とは別個の機器であってもよいし、測定装置２に組み込まれていてもよい。
【００８１】
コンピュータ４は、図３に示すように、プロセッサ（ＣＰＵ）４０、ＲＯＭ４１、ＲＡＭ４２、ハードディスク（ＨＤＤ）４３、入出力インターフェイス４４、読取装置４５、通信インターフェイス４６及び画像出力インターフェイス４７を備えており、これらはバス４８によってデータ通信可能に接続されている。また、測定装置２は、通信インターフェイス４６により、コンピュータ４と通信可能に接続されている。  
【００８２】
ＣＰＵ４０は、入出力各部の動作を一連に制御するとともに、ＲＯＭ４１又はハードディスク４３に記憶されているコンピュータプログラムを実行する。つまり、ＣＰＵ４０は、コンピュータプログラムに従って、測定装置２から受信した光学的情報の処理を行い、生体試料中のペルオキシレドキシンの測定値を算出するとともに、ＲＯＭ４１又はハードディスク４３に記憶されている所定の閾値（カットオフ値）を読み出し、当該ペルオキシレドキシンの測定値が所定の閾値以上の場合に、生体試料を採取した被験体が急性心筋梗塞であると決定する。そして、ＣＰＵ４０は、決定結果を出力して表示部５に表示させる。
【００８３】
ＲＯＭ４１は、マスクＲＯＭ、ＰＲＯＭ、ＥＰＲＯＭ、ＥＥＰＲＯＭなどによって構成される。ＲＯＭ４１には、上述したように、ＣＰＵ４０によって実行される急性心筋梗塞の検出のためのコンピュータプログラム（急性心筋梗塞診断補助プログラム）及び当該急性心筋梗塞診断補助プログラムの実行に用いるデータが記録される。また、ＲＯＭ４１には、所定の閾値の他、当該被験体の過去のペルオキシレドキシンの測定値などが記録されていてもよい。
【００８４】
ＲＡＭ４２は、ＳＲＡＭ、ＤＲＡＭなどによって構成される。ＲＡＭ４２は、ＲＯＭ４１及びハードディスク４３に記録されているコンピュータプログラムの読み出しに用いられる。ＲＡＭ４２は、また、ＣＰＵ４０がこれらのコンピュータプログラムを実行するときに、ＣＰＵ４０の作業領域として利用される。
【００８５】
ハードディスク４３は、ＣＰＵ４０に実行させるためのオペレーティングシステム、アプリケーションプログラム(急性心筋梗塞の診断補助プログラム)などのコンピュータプログラム及び当該コンピュータプログラムの実行に用いるデータが記録される。ハードディスク４３には、所定の閾値（カットオフ値）の他、当該被験体の過去のペルオキシレドキシンの測定値などが記録されていてもよい。
【００８６】
読取装置４５は、フレキシブルディスクドライブ、ＣＤ−ＲＯＭドライブ、ＤＶＤＲＯＭドライブなどによって構成される。読取装置４５は、可搬型記録媒体７に記録されたコンピュータプログラム又はデータを読み取ることができる。
【００８７】
入出力インターフェイス４４は、例えば、ＵＳＢ、ＩＥＥＥ１３９４、ＲＳ−２３２Ｃなどのシリアルインターフェイスと、ＳＣＳＩ、ＩＤＥ、ＩＥＥＥ１２８４などのパラレルインターフェイスと、Ｄ／Ａ変換器、Ａ／Ｄ変換器などからなるアナログインターフェイスとから構成される。入出力インターフェイス４４には、キーボード、マウスなどの入力部５が接続されている。操作者は、入力部５によりコンピュータ３に各種の指令を入力することができる。
【００８８】
通信インターフェイス４６は、例えば、Ｅｔｈｅｒｎｅｔ（登録商標）インターフェイスなどである。コンピュータ３は、通信インターフェイス４６により、プリンタなどへ印刷データの送信を行うことができる。
【００８９】
画像出力インターフェイス４７は、ＬＣＤ、ＣＲＴなどで構成される表示部６に接続されている。表示部６は、ＣＰＵ４０から与えられた画像データに応じた映像信号を出力できる。表示部６は、入力された映像信号にしたがって画像を表示する。
【００９０】
次に、図４を用いて、急性心筋梗塞の診断補助プログラムに基づき、診断補助装置１により実行される急性心筋梗塞の診断補助方法について説明する。まず、ステップＳＴ１において、ＣＰＵ４０は、測定装置２から光学的情報（シグナル）の送信を受けると、取得した光学的情報から生体試料中のペルオキシレドキシンの測定値を算出し、ＲＯＭ４１又はハードディスク４３に記憶する。そして、ステップＳＴ２において、ＣＰＵ４０は、取得したペルオキシレドキシンの測定値と、ＲＯＭ４１又はハードディスク４３に記憶された所定の閾値（カットオフ値）とを比較する。ペルオキシレドキシンの測定値が所定の閾値（カットオフ値）以上であると、ステップＳＴ３が「ＹＥＳ」となってＳＴ４に進み、ＣＰＵ４０は、生体試料を採取した被験体が急性心筋梗塞であると決定し、ステップＳＴ６において、ＣＰＵ４０は、決定結果を出力して、表示部５に表示したり、プリンタにより印刷したりする。また、生体試料を採取した被験体が急性心筋梗塞であるとの結果をＲＯＭ４１又はハードディスク４３に記憶してもよい。
【００９１】
一方、ペルオキシレドキシンの測定値が所定の閾値（カットオフ値）より低いと、ステップＳＴ３が「ＮＯ」となってステップＳＴ５に進み、ＣＰＵ４０は、生体試料を採取した被験体が急性心筋梗塞でないと決定する。そして、ステップＳＴ６において、ＣＰＵ４０は、決定結果を出力して、表示部５に表示したり、プリンタにより印刷したりする。また、生体試料を採取した被験体が急性心筋梗塞でないとの結果をＲＯＭ４１又はハードディスク４３に記憶してもよい。
【００９２】
このような情報は、医師に対して、当該被験体が急性心筋梗塞であると診断するあるいは当該被験体が急性心筋梗塞ではないと診断することを補助するための情報として提供される。
【００９３】
以上、本発明に係る急性心筋梗塞の診断補助装置及び急性心筋梗塞の診断補助プログラムの一実施形態について説明したが、本発明は上記実施形態に限定されるものではなく、本発明の趣旨を逸脱しない限りにおいて種々の変更が可能である。
【実施例】
【００９４】
以下、実施例を示して本発明をさらに詳細に説明するが、本発明は実施例の態様に限定して解釈されるものではない。
【００９５】
実施例：血清中ペルオキシレドキシン濃度の測定と各種心疾患との相関
各心疾患患者の血清中ペルオキシレドキシン濃度を比較するため、表１に示す５群の各被検体の血清中のペルオキシレドキシン濃度を測定した。
１．対象
被検体の内訳を表１に示す。
【００９６】
【表１】
0006622102.tif 000002
ここで、健常者は、心疾患のみならず、他の疾患も含め疾患の疑いのない者である。
【００９７】
２．測定方法
被検体から採血を行い、採血後直ちに血清を分離し、分離した血清を直ちに−８０℃で凍結し、測定まで−８０℃で保存した。
【００９８】
血清中のペルオキシレドキシンは、ＭｙＢｉｏＳｏｕｒｃｅ社（米国、サンフランシスコ、サンディエゴ）から購入したＥＬＩＳＡ  Ｋｉｔ  ｆｏｒ  Ｐｅｒｏｘｉｒｅｄｏｘｉｎ  ６（カタログ番号Ｃａｔ．  Ｎｏ．  ＭＢＳ２０２０８６５）を用いて、添付のプロトコールにしたがって測定した。
【００９９】
統計解析には、ＳｔａｔＦｌｅｘを用い、基本統計量（パラメトリック法）、一元配置分散分析、独立多群多重比較（Ｔｕｋｅｙ検定）を行った。また、感度、特異度の検定にはＲＯＣ解析を行い、さらにＡＵＣ値を求めた。
【０１００】
３．結果
（１）血清中ペルオキシレドキシン６濃度
パラメトリック法によって求めた各群の血清中のペルオキシレドキシン６濃度の平均値±標準偏差（ｎｇ／ｍｌ）を表２に示す。また、図５に各群の血清中ペルオキシレドキシン濃度の散布図を示す。
【０１０１】
【表２】
0006622102.tif 000003
【０１０２】
Ｔｕｋｅｙ検定の結果を表３に示す。表３に示すとおり、ＡＭＩ患者群の他の群に対するｑ値はいずれもＰ＜０．０１を示し、ＡＭＩ患者群では他の疾患群と比較して優位に血清中のペルオキシレドキシンの測定値が上昇していることが示された。
【０１０３】
【表３】
0006622102.tif 000004
【０１０４】
次に、ペルオキシレドキシン６の測定値の急性心筋梗塞の予測又は診断における感度及び特異度を検討するため、ＲＯＣ解析を行った。図６に健常者群及び各心疾患患者群のペルオキシレドキシン６の測定値に対するＡＭＩ患者群のペルオキシレドキシン６の測定値のＲＯＣ曲線を示す。ＡＭＩ患者群のＲＯＣ曲線は左上隅に沿う形となった。また表４に各疾患群に対するＡＭＩ患者群のＡＵＣ値と各疾患群に対する健常者群のＡＵＣ値を示す。ＩＨＦ患者群又はＤＭＣ患者に対するＡＭＩ患者群のＡＵＣ値は、高精度に分類される０．９２、０．９９となった（表４）。これに対しＩＨＦ患者群又はＤＭＣ患者に対する健常者群のＡＵＣ値は、低制度に分類される０．７９、０．８２であった（表４）。このことから、ペルオキシレドキシンの測定値は、急性心筋梗塞の予測能及び診断能に優れていることが明らかとなった。また、ペルオキシレドキシンは心筋梗塞に伴う心疾患の症状が現れてから１時間以内に測定値が上昇することから、発症直後の急性心筋梗塞の検出に有用であるとかんがえられた。そして、その検出は、従来報告されている心筋トロポニンＴ及び心筋トロポニンＩの測定値よりも、急性心筋梗塞を早期に検出することができると考えられた。
【０１０５】
【表４】
0006622102.tif 000005
【符号の説明】
【０１０６】
１    検出装置
２    測定装置
３    コンピュータシステム
４    コンピュータ
５  出力部
６  入力部
４０  プロセッサ（ＣＰＵ）、
４１  ＲＯＭ
４２  ＲＡＭ
４３  ハードディスク（ＨＤＤ）
４４  入力インターフェイス
４５  読取装置
４６  通信インターフェイス
４７  画像出力インターフェイス
５０  検査キット
５５  外装箱
５１  第１容器
５２  第２容器
５３  第３容器
５４  添付文書
５５  外装箱 
【図１】
0006622102.tif 000006
【図２】
0006622102.tif 000007
【図３】
0006622102.tif 000008
【図４】
0006622102.tif 000009
【図５】
0006622102.tif 000010
【図６】
0006622102.tif 000011
【配列表】
0006622102000001.app